(57)【要約】【課題】ＤＭＰ機能を有するコンテンツ再生装置のユーザが、ＤＭＳ機能を有する携帯通信端末装置の状態を容易に把握することが可能なコンテンツ配信システムを実現する。【解決手段】本発明に係る携帯電話機１は、ＤＭＰ装置１０１の要求に応じて、自装置に記憶されているコンテンツを家庭内ＬＡＮ２０１を介してＤＭＰ装置１０１に送信する携帯電話機１であって、コンテンツ送信に関係する自装置の状態を検出する状態検出部３２と、状態検出部３２が検出した状態の内容を示す状態情報を、家庭内ＬＡＮ２０１を介してＤＭＰ装置１０１に送信する通信制御部３０とを備えていることを特徴としている。【選択図】図１
2009122911.tif 000002
【特許請求の範囲】
【請求項１】
ローカルネットワークに接続してコンテンツ再生装置と通信する通信部を備え、上記コンテンツ再生装置の要求に応じて、自装置に記憶されているコンテンツを上記ローカルネットワークを介して上記コンテンツ再生装置に送信する携帯通信端末装置において、
コンテンツ配信に関係する自装置の状態を検出する状態検出手段と、
上記状態検出手段が検出した状態の内容を示す状態情報を、上記通信部を介して上記コンテンツ再生装置に送信する送信制御手段とを備えていることを特徴とする携帯通信端末装置。
【請求項２】
上記通信部は、上記ローカルネットワークに無線接続して、上記コンテンツ再生装置と通信する無線通信部であり、
上記状態検出手段は、上記無線通信部をモニタして、上記ローカルネットワークを介して受信する電波信号の強度を検出し、
上記送信制御手段は、上記状態検出手段が検出した電波強度を上記状態情報に含めて送信することを特徴とする請求項１に記載の携帯通信端末装置。
【請求項３】
上記状態検出手段は、自装置のバッテリ部の充電残量を検出し、
上記送信制御手段は、上記状態検出手段が検出した充電残量を上記状態情報に含めて送信することを特徴とする請求項１または２に記載の携帯通信端末装置。
【請求項４】
自装置に記憶されているコンテンツの読み出しを禁止するロック設定手段を備え、
上記状態検出手段は、自装置の、上記ロック設定手段により上記コンテンツの読み出しが禁止されているロック設定状態を検出し、
上記送信制御手段は、上記状態検出手段が検出したロック設定状態の有無を上記状態情報に含めて送信することを特徴とする請求項１から３までのいずれか１項に記載の携帯通信端末装置。
【請求項５】
携帯電話網を介して他の通信端末装置と音声通話する音声通信部を備え、
上記状態検出手段は、上記音声通信部をモニタして、自装置の通話中の状態を検出し、
上記送信制御手段は、上記状態検出手段が検出した通話中の状態の有無を上記状態情報に含めて送信することを特徴とする請求項１から４までのいずれか１項に記載の携帯通信端末装置。
【請求項６】
上記送信制御手段は、ＤＬＮＡプロトコルを用いて上記状態情報を上記コンテンツ再生装置に送信することを特徴とする請求項１から５までのいずれか１項に記載の携帯通信端末装置。
【請求項７】
ローカルネットワークに接続された、コンテンツを記憶している携帯通信端末装置から、自装置が要求したコンテンツを、上記ローカルネットワークを介して取得し再生するコンテンツ再生装置において、
コンテンツ配信に関係する上記携帯通信端末装置の状態の内容を示す状態情報を、上記ローカルネットワークを介して上記携帯通信端末装置から取得する状態情報取得手段と、
上記状態情報取得手段が取得した状態情報を表示部に表示する情報表示制御手段とを備えていることを特徴とするコンテンツ再生装置。
【請求項８】
上記状態情報には、
上記携帯通信端末装置が上記ローカルネットワークを介して受信する電波信号の強度を示す電波強度が含まれていることを特徴とする請求項７に記載のコンテンツ再生装置。
【請求項９】
上記状態情報には、
上記携帯通信端末装置のバッテリ部の充電残量が含まれていることを特徴とする請求項７または８記載のコンテンツ再生装置。
【請求項１０】
上記状態情報には、
上記携帯通信端末装置が、コンテンツの読み出しを禁止されるロック設定状態であるか否かを示す情報が含まれていることを特徴とする請求項７から９までのいずれか１項に記載のコンテンツ再生装置。
【請求項１１】
上記状態情報には、
上記携帯通信端末装置が、携帯電話網を介して他の通信端末装置と音声通話中の状態であるか否かを示す情報が含まれていることを特徴とする請求項７から１０までのいずれか１項に記載のコンテンツ再生装置。
【請求項１２】
請求項１に記載の携帯通信端末装置と、
請求項７に記載のコンテンツ再生装置とを含むことを特徴とするコンテンツ配信システム。
【請求項１３】
ローカルネットワークに接続してコンテンツ再生装置と通信し、上記コンテンツ再生装置の要求に応じて、自装置に記憶されているコンテンツを上記ローカルネットワークを介して上記コンテンツ再生装置に送信する携帯通信端末装置の制御方法であって、
コンテンツ配信に関係する上記携帯通信端末装置の状態を検出する状態検出ステップと、
上記状態検出ステップにて検出された状態の内容を示す状態情報を、上記ローカルネットワークを介して上記コンテンツ再生装置に送信する送信ステップとを含むことを特徴とする携帯通信端末装置の制御方法。
【請求項１４】
ローカルネットワークに接続された、コンテンツを記憶している携帯通信端末装置から、自装置が要求したコンテンツを、上記ローカルネットワークを介して取得し再生するコンテンツ再生装置の制御方法であって、
コンテンツ配信に関係する上記携帯通信端末装置の状態の内容を示す状態情報を、上記ローカルネットワークを介して上記携帯通信端末装置から取得する取得ステップと、
上記取得ステップにて取得された状態情報を上記コンテンツ再生装置の表示部に表示する表示ステップとを含むことを特徴とするコンテンツ再生装置の制御方法。
【請求項１５】
コンピュータを、請求項１から６までのいずれか１項に記載の携帯通信端末装置、または、請求項７から１１までのいずれか１項に記載のコンテンツ再生装置の各手段として機能させるための制御プログラム。
【請求項１６】
請求項１５に記載の制御プログラムを記録したコンピュータ読み取り可能な記録媒体。
【発明の詳細な説明】
【技術分野】
【０００１】
本発明は、ネットワークに接続されたサーバ機器をクライアント機器で検知する技術に関するものである。
【背景技術】
【０００２】
近年、有線及び無線データ通信ネットワーク技術の発達及び普及に伴い、パーソナルコンピュータ、ＰＤＡ（Personal Digital Assistant）、携帯電話機に代表される携帯情報機器に加え、オーディオ再生機やテレビジョン受像機などの家電機器をＬＡＮ（Local Area Network）で接続するコンテンツ配信システムが提唱されている。上記コンテンツ配信システムに対し、ＤＬＮＡ（Digital Living Network Alliance）によって、家電機器、パーソナルコンピュータ、モバイル機器の相互互換性を保障するためのＤＬＮＡガイドライン（以下、ＤＬＮＡと称する）が定められている。
【０００３】
ＤＬＮＡでは、コンテンツを再生するコンテンツ再生装置はＤＭＰ（Digital Media Player）と呼ばれ、保存しているコンテンツを公開・配信するコンテンツ配信装置はＤＭＳ（Digital Media Server）と呼ばれている。
【０００４】
ＤＬＮＡは、ホームネットワーク内などローカルなネットワーク内でのコンテンツ共有を実現するために、ネットワーク上に存在するＤＭＳを探すための仕組みや、ＤＭＰとＤＭＳとの間でコンテンツの検索を行う仕組みや、ＤＭＳからＤＭＰに対してコンテンツを配信するための仕組みを定めている。なお、各機器のネットワークへの接続には、一般的に有線ＬＡＮ（Local Area Network）や無線ＬＡＮが使用されている。
【０００５】
ＤＬＮＡに準拠した家電機器を家庭内のネットワークに接続すると、ＤＭＳ機能を持つホームサーバとの相互接続によって、上記ホームサーバが保有する写真、動画、音楽といったデジタルコンテンツデータを、ＤＭＰ機能を持つ上記家電機器にて共有することが可能となっている。上記ホームサーバのデジタルコンテンツデータをＤＭＰ機能を持つＴＶやＰＣ（Personal Computer）から視聴することは既に実用化されている。
【０００６】
今後、携帯電話機などの携帯通信端末装置にＤＭＳ機能が実装されれば、ＤＬＮＡの仕組みを用いることにより、携帯電話機内に保存された写真や映像ファイルを家庭内のＴＶやＰＣで閲覧することができるようになる。
【０００７】
ここで、特許文献１に示されるように、従来のホームネットワークシステムにおいて、クライアント機器（ＰＣなど）のユーザが、同ネットワークに接続されているサーバ機器（ＰＣやビデオレコーダなど）とサービスとの対応を即座に把握できる仕組みが必要とされてきた。
【０００８】
同様に、ＤＭＳ機能を搭載した携帯電話機を含むＤＬＮＡ準拠のコンテンツ配信システムにおいても、ＤＭＰのユーザが、同一ネットワークに接続されているＤＭＳとしての携帯電話機を直感的に識別し、また、それらが保有するコンテンツを把握できるようにする仕組みが求められる。
【特許文献１】特開２００４−３４８４５５号公報（２００４年１２月９日公開）
【発明の開示】
【発明が解決しようとする課題】
【０００９】
しかしながら、携帯通信端末装置にＤＭＳ機能を実装した場合には、上述した特許文献１の技術を適用するだけでは問題がある。
【００１０】
すなわち、携帯通信端末装置は、バッテリ駆動であったり、無線によって情報をやりとりする移動体であったりするので、家庭内に常設される（すなわち、常にローカルネットワークに接続可能な状態である）家電機器とは異なり、電源が切れた状態やローカルネットワーク接続可能圏外の状態が長く続くこともある。
【００１１】
つまり、携帯通信端末装置は、記憶されているコンテンツを、快適な環境で配信することが困難な状態や、正常に配信できない状態などの異常状態（具体例は後述）に陥り、ＤＭＳ機能を正常に実行できないという不都合が起こりやすい。
【００１２】
上記従来の構成では、ＤＭＰのユーザは、サービスを受けることのできるＤＭＳを把握することはできても、当該ＤＭＰがコンテンツを配信できる状態にあるのか否かを知ることができない。したがって、ユーザは、異常状態のＤＭＳに対して、コンテンツ配信要求を行ってしまい、異常状態のＤＭＳより正常にコンテンツを取得することができず、ユーザの利便性が損なわれるという問題がある。
【００１３】
本発明は、上記問題点に鑑みてなされたものであり、その目的は、ＤＭＰ機能を有するコンテンツ再生装置のユーザが、ＤＭＳ機能を有する携帯通信端末装置の状態を容易に把握することが可能な、携帯通信端末装置、コンテンツ再生装置、コンテンツ配信システム、制御方法、制御プログラム、および、記録媒体を実現することにある。
【課題を解決するための手段】
【００１４】
本発明に係る携帯通信端末装置は、上記課題を解決するために、ローカルネットワークに接続してコンテンツ再生装置と通信する通信部を備え、上記コンテンツ再生装置の要求に応じて、自装置に記憶されているコンテンツを上記ローカルネットワークを介して上記コンテンツ再生装置に送信する携帯通信端末装置において、コンテンツ配信に関係する自装置の状態を検出する状態検出手段と、上記状態検出手段が検出した状態の内容を示す状態情報を、上記通信部を介して上記コンテンツ再生装置に送信する送信制御手段とを備えていることを特徴としている。
【００１５】
上記構成によれば、携帯通信端末装置の状態検出手段は、コンテンツ配信に関係する自装置の状態を検出する。そして、送信制御手段は、上記状態検出手段が検出した状態の内容を示す状態情報を、上記ローカルネットワークを介して上記コンテンツ再生装置に送信する。
【００１６】
これにより、コンテンツ再生装置は、ローカルネットワークを介して、携帯通信端末装置の状態情報を取得し、携帯通信端末装置の状態を把握することが可能となる。取得した携帯通信端末装置の状態とは、携帯通信端末装置のコンテンツ配信機能に関係する状態のことである。したがって、上記コンテンツ再生装置のユーザは、取得した上記状態情報に基づいて、上記携帯通信端末装置からコンテンツを取得する場合に、それが問題なく実行できる状態であるのか否かを判断することができる。
【００１７】
例えば、携帯通信端末装置から取得した状態情報が、「携帯通信端末装置がコンテンツを快適な環境（伝送速度など）で送信することが困難な状態」、または、「近い将来コンテンツを配信できない状態に陥る可能性がある状態」などの異常状態を示している場合には、上記携帯通信端末装置に対してコンテンツ配信要求を行わないようにして、配信トラブルを未然に防止することができる。結果として、ユーザの利便性が向上する。
【００１８】
上記通信部は、上記ローカルネットワークに無線接続して、上記コンテンツ再生装置と通信する無線通信部であり、上記状態検出手段は、上記無線通信部をモニタして、上記ローカルネットワークを介して受信する電波信号の強度を検出し、上記送信制御手段は、上記状態検出手段が検出した電波強度を上記状態情報に含めて送信してもよい。
【００１９】
上記構成によれば、携帯通信端末装置は、無線通信装置であり、ローカルネットワークのアクセスポイントに無線で接続することにより、ローカルネットワークを介してコンテンツ再生装置と通信している。
【００２０】
上記状態検出手段は、携帯通信端末装置が備える無線通信部をモニタして、上記ローカルネットワークを介して受信する電波信号の強度を検出する。上記送信制御手段は、上記状態検出手段が検出した電波強度を上記状態情報に含めて送信する。
【００２１】
これにより、コンテンツ再生装置は、コンテンツ配信に関係する状態情報として、携帯通信端末装置の電波強度を取得することが可能となる。
【００２２】
例えば、コンテンツ再生装置が、携帯通信端末装置から「電波強度が弱い状態」などの異常を示す状態情報を受信した場合、コンテンツ再生装置のユーザは、上記携帯通信端末装置からコンテンツを取得するのに時間がかかることが予測でき、上記携帯通信端末装置に対してコンテンツ配信要求を行わないようにして、配信トラブルを未然に防止することができる。結果として、ユーザの利便性が向上する。
【００２３】
さらに、上記状態検出手段は、自装置のバッテリ部の充電残量を検出し、上記送信制御手段は、上記状態検出手段が検出した充電残量を上記状態情報に含めて送信してもよい。
【００２４】
上記構成によれば、上記状態検出手段は、自装置に電力を供給するバッテリ部をモニタして、その充電残量を検出する。上記送信制御手段は、上記状態検出手段が検出した充電残量を上記状態情報に含めて送信する。
【００２５】
これにより、コンテンツ再生装置は、コンテンツ配信に関係する状態情報として、携帯通信端末装置のバッテリの充電残量を取得することが可能となる。
【００２６】
例えば、コンテンツ再生装置が、携帯通信端末装置から「充電残量が少ない状態」などの異常を示す状態情報を受信した場合、コンテンツ再生装置のユーザは、コンテンツのダウンロード中に上記携帯通信端末装置の電源が落ちる可能性があると予測でき、上記携帯通信端末装置に対してコンテンツ配信要求を行わないようにして、配信トラブルを未然に防止することができる。結果として、ユーザの利便性が向上する。
【００２７】
さらに、上記携帯通信端末装置は、自装置に記憶されているコンテンツの読み出しを禁止するロック設定手段を備え、上記状態検出手段は、自装置の、上記ロック設定手段により上記コンテンツの読み出しが禁止されているロック設定状態を検出し、上記送信制御手段は、上記状態検出手段が検出したロック設定状態の有無を上記状態情報に含めて送信してもよい。
【００２８】
上記構成によれば、上記ロック設定手段は、携帯通信端末装置が自装置に記憶されているコンテンツを読み出すことを禁止する。このように携帯通信端末装置がロック設定状態にある場合、携帯通信端末装置は、コンテンツ再生装置の要求に応じてコンテンツを送信することはできない。
【００２９】
上記状態検出手段は、自装置がロック設定状態であるか否かを検出する。上記送信制御手段は、上記状態検出手段が検出した、ロック設定状態の有無を上記状態情報に含めて送信する。
【００３０】
これにより、コンテンツ再生装置は、コンテンツ配信に関係する状態情報として、携帯通信端末装置におけるロック設定状態の有無を取得することが可能となる。
【００３１】
例えば、コンテンツ再生装置が、携帯通信端末装置から「ロック設定中の状態」を示す状態情報を受信した場合、コンテンツ再生装置のユーザは、コンテンツの要求を行ってもコンテンツをダウンロードすることができないと知ることができ、上記携帯通信端末装置に対してコンテンツ配信要求を行わないようにして、配信トラブルを未然に防止することができる。結果として、ユーザの利便性が向上する。
【００３２】
さらに、携帯通信端末装置は、携帯電話網を介して他の通信端末装置と音声通話する音声通信部を備え、上記状態検出手段は、上記音声通信部をモニタして、自装置の通話中の状態を検出し、上記送信制御手段は、上記状態検出手段が検出した通話中の状態の有無を上記状態情報に含めて送信してもよい。
【００３３】
上記構成によれば、携帯通信端末装置は、さらに、携帯電話網を介して他の装置と音声通話する音声通信部を備えている。
【００３４】
上記状態検出手段は、上記音声通信部をモニタして、自装置が通話中の状態であるか否かを検出する。上記送信制御手段は、上記状態検出手段が検出した、通話中の状態の有無を上記状態情報に含めて送信する。
【００３５】
これにより、コンテンツ再生装置は、コンテンツ配信に関係する状態情報として、携帯通信端末装置が通話中か否かを示す情報を取得することが可能となる。
【００３６】
例えば、コンテンツ再生装置が、携帯通信端末装置から「通話中」を示す状態情報を受信した場合、コンテンツ再生装置のユーザは、要求したコンテンツの送信処理が円滑に実行されないことが予測できる。なぜなら、ハードウェア資源に一定の制約がある携帯通信端末装置にとって、いくつもの処理を同時に実行することは高負荷であり、通常、携帯通信端末装置において、音声通話の処理は優先的に実行されるからである。
【００３７】
したがって、コンテンツ再生装置のユーザは、上記携帯通信端末装置に対して、通話中はコンテンツ配信要求を行わないようにして、配信トラブルを未然に防止することができる。結果として、ユーザの利便性が向上する。
【００３８】
上記送信制御手段は、ＤＬＮＡプロトコルを用いて上記状態情報を上記コンテンツ再生装置に送信することが好ましい。
【００３９】
コンテンツ配信装置であるＤＭＳにおける提供サービス内容変更などの状態変化への対応として、ＤＬＮＡプロトコルでは、コンテンツ再生装置であるＤＭＰからＤＭＳに対して定期的に状態変化要求を行う処理、および、該要求に応じてＤＭＳがＤＭＰに対して状態変化有無応答を行う処理が規定されている。
【００４０】
これにより、上記送信制御手段をＤＬＮＡプロトコル規定の状態変化有無応答処理に内包することで、コンテンツ配信装置とコンテンツ再生装置との間の通信処理シーケンスを新たに追加する必要がなくなるため、コンテンツ配信装置及びコンテンツ再生装置の処理負荷の軽減、および、各装置間の通信データ量の削減が可能となる。
【００４１】
本発明に係るコンテンツ再生装置は、上記課題を解決するために、ローカルネットワークに接続された、コンテンツを記憶している携帯通信端末装置から、自装置が要求したコンテンツを、上記ローカルネットワークを介して取得し再生するコンテンツ再生装置において、コンテンツ配信に関係する上記携帯通信端末装置の状態の内容を示す状態情報を、上記ローカルネットワークを介して上記携帯通信端末装置から取得する状態情報取得手段と、上記状態情報取得手段が取得した状態情報を表示部に表示する情報表示制御手段とを備えていることを特徴としている。
【００４２】
上記構成によれば、コンテンツ再生装置は、携帯通信端末装置に対して、ローカルネットワークを介してコンテンツを要求し、該ローカルネットワークを介してコンテンツを上記携帯通信端末装置から取得する。
【００４３】
一方、コンテンツ再生装置の状態情報取得手段は、上記携帯通信端末装置から、コンテンツ配信に関係する上記携帯通信端末装置の状態の内容を示す状態情報を、上記ローカルネットワークを介して取得する。そして、上記情報表示制御手段は、上記状態情報取得手段が取得した状態情報を表示部に表示する。
【００４４】
これにより、コンテンツ再生装置のユーザは、表示部に表示された状態情報を見て、携帯通信端末装置の状態を把握することが可能となる。取得した携帯通信端末装置の状態とは、携帯通信端末装置のコンテンツ配信機能に関係する状態のことである。したがって、上記コンテンツ再生装置のユーザは、取得した上記状態情報に基づいて、上記携帯通信端末装置からコンテンツを取得する場合に、それが問題なく実行できる状態であるのか否かを判断することができる。
【００４５】
例えば、コンテンツ再生装置が、携帯通信端末装置から取得し、表示部に表示した状態情報が、「携帯通信端末装置がコンテンツを快適な環境（伝送速度など）で送信することが困難な状態」、または、「近い将来コンテンツを配信できない状態に陥る可能性がある状態」などの異常状態を示している場合には、上記携帯通信端末装置に対してコンテンツ配信要求を行わないようにして、配信トラブルを未然に防止することができる。結果として、ユーザの利便性が向上する。
【００４６】
上記状態情報には、さらに、上記携帯通信端末装置が上記ローカルネットワークを介して受信する電波信号の強度を示す電波強度が含まれていてもよい。
【００４７】
上記構成によれば、上記状態情報取得手段が取得した状態情報に含まれる、携帯通信端末装置の電波強度が、上記情報表示制御手段の制御によって上記表示部に表示される。
【００４８】
これにより、コンテンツ再生装置のユーザは、上記携帯通信端末装置が上記ローカルネットワークに接続する際の電波強度を知ることができる。
【００４９】
例えば、コンテンツ再生装置が、携帯通信端末装置から受信し、表示部に表示した状態情報が「電波強度が弱い状態」などの異常を示している場合、コンテンツ再生装置のユーザは、上記携帯通信端末装置からコンテンツを取得するのに時間がかかることが予測でき、上記携帯通信端末装置に対してコンテンツ配信要求を行わないようにして、配信トラブルを未然に防止することができる。結果として、ユーザの利便性が向上する。
【００５０】
上記状態情報には、さらに、上記携帯通信端末装置のバッテリ部の充電残量が含まれていてもよい。
【００５１】
上記構成によれば、上記状態情報取得手段が取得した状態情報に含まれる、携帯通信端末装置のバッテリ部の充電残量が、上記情報表示制御手段の制御によって上記表示部に表示される。
【００５２】
これにより、コンテンツ再生装置のユーザは、上記携帯通信端末装置のバッテリ部の充電残量を知ることができる。
【００５３】
例えば、コンテンツ再生装置が、携帯通信端末装置から受信し、表示部に表示した状態情報が「充電残量が少ない状態」などの異常を示している場合、コンテンツ再生装置のユーザは、コンテンツのダウンロード中に上記携帯通信端末装置の電源が落ちる可能性があると予測でき、上記携帯通信端末装置に対してコンテンツ配信要求を行わないようにして、配信トラブルを未然に防止することができる。結果として、ユーザの利便性が向上する。
【００５４】
上記状態情報には、さらに、上記携帯通信端末装置が、コンテンツの読み出しを禁止されるロック設定状態であるか否かを示す情報が含まれていてもよい。
【００５５】
上記構成によれば、上記状態情報取得手段が取得した状態情報に含まれる、携帯通信端末装置がロック設定されているか否かを示す情報が、上記情報表示制御手段の制御によって上記表示部に表示される。
【００５６】
これにより、コンテンツ再生装置のユーザは、上記携帯通信端末装置がロック設定（コンテンツの読み出しが禁止される設定）されているか否かを知ることができる。
【００５７】
例えば、コンテンツ再生装置が、携帯通信端末装置から受信し、表示部に表示した状態情報が、「ロック設定中の状態」を示している場合、コンテンツ再生装置のユーザは、コンテンツの要求を行ってもコンテンツをダウンロードすることができないと知ることができ、上記携帯通信端末装置に対してコンテンツ配信要求を行わないようにして、配信トラブルを未然に防止することができる。結果として、ユーザの利便性が向上する。
【００５８】
上記状態情報には、さらに、上記携帯通信端末装置が、携帯電話網を介して他の通信端末装置と音声通話中の状態であるか否かを示す情報が含まれていてもよい。
【００５９】
上記構成によれば、上記状態情報取得手段が取得した状態情報に含まれる、携帯通信端末装置が通話中であるか否かを示す情報が、上記情報表示制御手段の制御によって上記表示部に表示される。
【００６０】
これにより、コンテンツ再生装置のユーザは、上記携帯通信端末装置が通話中であるか否かを知ることができる。
【００６１】
例えば、コンテンツ再生装置が、携帯通信端末装置から受信し、表示部に表示した状態情報が「通話中」を示している場合、コンテンツ再生装置のユーザは、要求したコンテンツの送信処理が円滑に実行されないことが予測でき、上記携帯通信端末装置に対して、通話中はコンテンツ配信要求を行わないようにして、配信トラブルを未然に防止することができる。結果として、ユーザの利便性が向上する。
【００６２】
本発明のコンテンツ配信システムは、上記課題を解決するために、上述の携帯通信端末装置と上述のコンテンツ再生装置とを含むことを特徴としている。
【００６３】
本発明の携帯通信端末装置の制御方法は、上記課題を解決するために、ローカルネットワークに接続してコンテンツ再生装置と通信し、上記コンテンツ再生装置の要求に応じて、自装置に記憶されているコンテンツを上記ローカルネットワークを介して上記コンテンツ再生装置に送信する携帯通信端末装置の制御方法であって、コンテンツ配信に関係する上記携帯通信端末装置の状態を検出する状態検出ステップと、上記状態検出ステップにて検出された状態の内容を示す状態情報を、上記ローカルネットワークを介して上記コンテンツ再生装置に送信する送信ステップとを含むことを特徴としている。
【００６４】
本発明のコンテンツ再生装置の制御方法は、上記課題を解決するために、ローカルネットワークに接続された、コンテンツを記憶している携帯通信端末装置から、自装置が要求したコンテンツを、上記ローカルネットワークを介して取得し再生するコンテンツ再生装置の制御方法であって、コンテンツ配信に関係する上記携帯通信端末装置の状態の内容を示す状態情報を、上記ローカルネットワークを介して上記携帯通信端末装置から取得する取得ステップと、上記取得ステップにて取得された状態情報を上記コンテンツ再生装置の表示部に表示する表示ステップとを含むことを特徴としている。
【００６５】
これにより、クライアント側のコンテンツ再生装置のユーザは、サーバ側の携帯通信端末装置のコンテンツ配信に関係する状態を把握することが可能となり、携帯通信端末装置が、「携帯通信端末装置がコンテンツを快適な環境（伝送速度など）で送信することが困難な状態」、または、「近い将来コンテンツを配信できない状態に陥る可能性がある状態」などである場合には、上記携帯通信端末装置に対してコンテンツ配信要求を行わないようにして、配信トラブルを未然に防止することができる。結果として、ユーザの利便性が向上する。
【００６６】
なお、上記携帯通信端末装置および上記コンテンツ再生装置は、コンピュータによって実現してもよく、この場合には、コンピュータを上記各手段として動作させることにより上記携帯通信端末装置または上記コンテンツ再生装置をコンピュータにて実現させる携帯通信端末装置の制御プログラム、コンテンツ再生装置の制御プログラム、およびそれを記録したコンピュータ読み取り可能な記録媒体も、本発明の範疇に入る。
【発明の効果】
【００６７】
本発明に係る携帯通信端末装置は、以上のように、コンテンツ配信に関係する自装置の状態を検出する状態検出手段と、上記状態検出手段が検出した状態の内容を示す状態情報を、上記通信部を介して上記コンテンツ再生装置に送信する送信制御手段とを備えていることを特徴としている。
【００６８】
本発明に係るコンテンツ再生装置は、以上のように、コンテンツ配信に関係する上記携帯通信端末装置の状態の内容を示す状態情報を、上記ローカルネットワークを介して上記携帯通信端末装置から取得する状態情報取得手段と、上記状態情報取得手段が取得した状態情報を表示部に表示する情報表示制御手段とを備えていることを特徴としている。
【００６９】
本発明に係るコンテンツ配信システムは、以上のように、上述の携帯通信端末装置と、上述のコンテンツ再生装置とを備えていることを特徴としている。
【００７０】
本発明に係る携帯通信端末装置の制御方法は、以上のように、コンテンツ配信に関係する上記携帯通信端末装置の状態を検出する状態検出ステップと、上記状態検出ステップにて検出された状態の内容を示す状態情報を、上記ローカルネットワークを介して上記コンテンツ再生装置に送信する送信ステップとを含むことを特徴としている。
【００７１】
本発明に係るコンテンツ再生装置の制御方法は、以上のように、コンテンツ配信に関係する上記携帯通信端末装置の状態の内容を示す状態情報を、上記ローカルネットワークを介して上記携帯通信端末装置から取得する取得ステップと、上記取得ステップにて取得された状態情報を上記コンテンツ再生装置の表示部に表示する表示ステップとを含むことを特徴としている。
【００７２】
以上のことから、本発明によれば、クライアント機器側ユーザがモバイル端末であるサーバ機器の各種状態を検知して表示できるため、特定のサーバ機器が以降のコンテンツ配信動作を満足に行えなくなる状態であった場合、クライアント機器でこの情報を表示し、ユーザへの注意を促すことができるため、コンテンツ配信障害を未然に防ぐことが可能となり、利便性が向上するという効果を奏する。
【発明を実施するための最良の形態】
【００７３】
本発明の一実施形態について図面に基づいて説明すると以下の通りである。本実施形態では、一例として、本発明のコンテンツ配信システムを、家庭内ＬＡＮと家庭内ＬＡＮに有線または無線によって接続可能な各種機器とで構築される、ＤＬＮＡ準拠のホームネットワークシステムに適用した場合について説明する。また、本発明の携帯通信端末装置を、上記家庭内ＬＡＮを介してＤＭＰ機能を有する上記各種機器にコンテンツを配信する、ＤＭＳ機能を有する携帯電話機に適用した場合について説明する。
【００７４】
〔ホームネットワークシステムの概要〕
図２は、本発明の実施形態におけるホームネットワークシステム３００の概要を説明する図である。図３は、図２に示すホームネットワークシステム３００の一部を構成する、ＤＭＰ機能を有するＤＭＰ装置１０１ａ〜１０１ｃ、および、ＤＭＳ機能を有する携帯電話機１ａ〜１ｄの概略構成を示すブロック図である。
【００７５】
図２に示すとおり、家Ａの中には、家庭内ＬＡＮ２０１が形成されており、家庭内ＬＡＮ２０１には、ＤＭＰ装置１０１ｃ、ホームサーバ１０２、ハードディスク（ＨＤ）レコーダ１０３、パソコン１０４およびアクセスポイント２０２が有線ＬＡＮ接続されている。また、家庭内ＬＡＮ２０１には、アクセスポイント２０２を介してＤＭＰ装置１０１ａ、ＤＭＰ装置１０１ｂおよびＤＭＳ機能を有する携帯電話機１ａ〜１ｄが無線ＬＡＮ接続している。
【００７６】
携帯電話機１ａ〜１ｄは、ＤＬＮＡガイドラインに準拠してＤＭＰ機能を有する装置とメッセージ交換を行うためのプロトコル処理を行うＤＭＳプロトコル処理部４（図３）を備えたＤＭＳ装置である。携帯電話機１ａ〜１ｄは、ＤＭＰ装置１０１ａ〜１０１ｃなどの装置の要求に応じて、要求されたコンテンツを要求元のＤＭＰ装置に送信する。
【００７７】
なお、本実施形態では、ＤＭＳ装置を携帯電話機としたが、これに限定されない。ＰＤＡ、ノートパソコンなどの携帯通信端末装置をＤＭＳ装置として実現してもよい。
【００７８】
ＤＭＰ装置１０１ａ〜１０１ｃは、ＤＬＮＡガイドラインに準拠してＤＭＳ機能を有する装置とメッセージ交換を行うためのプロトコル処理を行うＤＭＰプロトコル処理部２１（図３）を備えている。すなわち、ＤＭＰ装置１０１ａ〜１０１ｃは、携帯電話機１ａ〜１ｄのようなＤＭＳ機能を有する装置に対してコンテンツ（例えば、写真、動画、音楽といったデジタルコンテンツ）を要求し、取得することができる。ＤＭＰ装置１０１ａ〜１０１ｃは、取得したコンテンツを再生する。
【００７９】
ここではＤＭＰ装置１０１ａがＰＤＡであり、ＤＭＰ装置１０１ｂが携帯電話機であり、ＤＭＰ装置１０１ｃがテレビであることを想定している。しかし、ＤＭＰとして利用するＤＭＰ装置をどのような機器にて実現するかは上記に限定されない。
【００８０】
ホームネットワークシステム３００は、さらに、以下の装置を含んでいてもよい。
【００８１】
ホームサーバ１０２、ＨＤレコーダ１０３、パソコン１０４は、携帯電話機１ａ〜１ｄと同じくＤＭＳ機器である。ホームサーバ１０２（ＨＤレコーダ１０３、パソコン１０４）は、家庭内ＬＡＮ２０１に有線ＬＡＮ接続されているので、同じく家庭内ＬＡＮ２０１に接続されているＤＭＰ装置１０１ｃは、ホームサーバ１０２からコンテンツを取得することができる。また、ＤＭＰ装置１０１ａおよび１０１ｂも、アクセスポイント２０２経由で家庭内ＬＡＮ２０１に接続することにより、ホームサーバ１０２（ＨＤレコーダ１０３、パソコン１０４）からコンテンツを取得することができる。
【００８２】
図３に示すとおり、本実施形態では、携帯電話機１ａ〜１ｄは、記憶部の装置情報記憶領域１１において、自装置についての装置情報を記憶している。携帯電話機１ａ〜１ｄは、ＤＭＰ装置１０１ａ〜１０１ｃの要求に応じて、あるいは、所定のイベントの発生に応じて自装置の装置情報をＤＭＰ装置１０１ａ〜１０１ｃに送信する。
【００８３】
装置情報の内容は特に限定されないが、本実施形態では、少なくとも、自装置の、コンテンツ配信にかかる状態（あるいは異常状態）の内容を示す状態情報（異常状態情報）をＤＭＰ装置１０１ａ〜１０１ｃに送信する。
【００８４】
〔ＤＭＳ装置の異常状態について〕
上述したＤＭＳ装置の異常状態について、ここでは、携帯電話機１ａ〜１ｄにおける異常状態について、図３を参照しながら具体例を挙げて説明する。
【００８５】
ＤＭＳ装置の異常状態とは、自装置のコンテンツをＤＭＰに快適な環境で送信することが困難な状態、または、近い将来コンテンツを配信できない状態に陥る可能性がある状態のことを指す。つまり、コンテンツ配信にかかる異常状態である。
【００８６】
携帯電話機１ａ〜１ｄの異常状態としては、具体的には、以下の状態が挙げられる。
【００８７】
まず、携帯電話機１ａ〜１ｄは、無線によりアクセスポイントを介して通信網に接続して、ＤＭＰ装置１０１ａ〜１０１ｃと情報をやりとりする無線通信端末装置である。
【００８８】
携帯電話機１ａ〜１ｄは、家庭内に常設されるＨＤレコーダ１０３などの家電機器とは異なり、ユーザが携帯して広範囲を移動することが可能である。このため、携帯電話機１ａ〜１ｄが置かれる電波環境は、必ずしも良好とは言えず、家庭内ＬＡＮ２０１にアクセスするための無線通信電波環境が悪化することがある。
【００８９】
電波強度が弱い場合、ＤＭＰ装置１０１ａ〜１０１ｃからのコンテンツ配信要求を正常に受信できなかったり、コンテンツを要求元のＤＭＰ装置に正常に送信できなかったり、あるいは、送信できたとしても伝送に非常に長い時間がかかったりするおそれがある。そこで、異常状態として、第１に、携帯電話機の、無線通信電波強度が弱い状態が挙げられる（図２・３の携帯電話機１ｄ）。
【００９０】
次に、携帯電話機１ａ〜１ｄは、携帯電話網を介して、他の通信端末装置と通話する機能を主として有している。最近の携帯電話機は、通話機能以外にもあらゆる機能が搭載された多機能携帯電話機であるのが一般的であるが、携帯電話機において通話機能は優先度が高い処理である。したがって、携帯電話機は、通話機能を実行するときに、他の機能実行中に割り込んだり、また、通話機能実行中には、他の負荷の高い機能を実行待機の状態にしたりする。これらは、携帯電話機の限られたハードウェア資源で、幾種類もの機能を実行するために従来からなされている工夫である。
【００９１】
以上のことから、携帯電話機１ａ〜１ｄが、コンテンツ送信要求を受信した時点で、携帯電話網を介して他の通信端末装置と通話中であることも考えられる。このような場合は、上述したような事情で、コンテンツを要求元のＤＭＰ送信に正常に配信できなかったり、伝送に非常に長い時間がかかったりするおそれがある。そこで、異常状態として、第２に、携帯電話機が通話中である状態が挙げられる（携帯電話機１ｂ）。
【００９２】
次に、携帯電話機１ａ〜１ｄは、バッテリで駆動する機器である。したがって、バッテリの充電残量が少なくなった場合、コンテンツを完全にＤＭＰ装置に送信できないおそれがある。
【００９３】
そこで、異常状態として、第３に、携帯電話機のバッテリの充電残量が少ない状態が挙げられる（携帯電話機１ａ）。
【００９４】
次に、携帯電話機１ａ〜１ｄは、通常、セキュリティの観点から、携帯電話機内のデータを他人が閲覧できないように、ユーザがロック設定を行う機能が搭載されている。本実施形態にかかる携帯電話機１ａ〜１ｄは、所有者以外の人物が当該携帯電話機の操作を行えないようにするロック設定を行うことにより、携帯電話機に記憶されているコンテンツに対して閲覧を禁止する閲覧ロックがかかるようになっている。
【００９５】
このように携帯電話機１ａ〜１ｄのユーザが、携帯電話機内のコンテンツが外部に配信されないように、また、他人に閲覧されないように、携帯電話機に対してロック設定を行った場合、ＤＭＰ装置は、上記携帯電話機に対してコンテンツを要求しても、コンテンツを取得できない。あるいは、取得できたとしてもコンテンツを再生することができない。
【００９６】
そこで、異常状態として、第４に、携帯電話機のロック設定状態が挙げられる（携帯電話機１ｃ）。
【００９７】
なお、上述の異常状態の具体例は、本発明の携帯電話機の動作についての理解を助ける説明のための一例であって、本発明の携帯電話機（携帯通信端末装置）を限定するものではない。本発明の携帯電話機１ａ〜１ｄは、コンテンツ送信の動作に影響（特に悪影響）を及ぼす状態、または、コンテンツ送信が失敗する可能性のある状態など、コンテンツ送信にかかるあらゆる状態を検知して、ＤＭＰ装置に通知することが可能である。例えば、携帯電話機１ａ〜１ｄが動画再生機能、カメラ撮影機能、高画素画像処理機能などのハードウェア資源に対して負荷が大きい機能を実行中の場合にも、コンテンツ送信機能の実行に悪影響を与える可能性があるので、高負荷機能実行状態などを異常状態として検出してもよい。
【００９８】
以下では、上述した第１から第４までの具体例を用いて、自装置の異常状態を検知しＤＭＰ装置に通知する携帯電話機についてより詳細に説明する。
【００９９】
〔ＤＭＳ装置（携帯電話機）の構成〕
（概略構成）
図４は、携帯電話機１ａ〜１ｄの要部構成を示すブロック図である。以下、単に携帯電話機１と記載する場合は、携帯電話機１ａ〜１ｄのことを指す。
【０１００】
図４に示すとおり、携帯電話機１は、無線ＬＡＮモジュール２、無線ＬＡＮ送受信部３、ＤＭＳプロトコル処理部４、無線ＬＡＮ接続部６、表示部７、入力部８、携帯電話網接続インターフェース（Ｉ／Ｆ）９、制御部１０、カメラ部１３、補助記憶部１４、主記憶部１８、および、バッテリ部１９を備えている。
【０１０１】
無線ＬＡＮモジュール２は、携帯電話機１が家庭内ＬＡＮ２０１に接続して通信を行うために必要な各種処理を行う。具体的には、無線ＬＡＮモジュール２は、無線ＬＡＮ用ＲＦ（Radio Frequency）部および信号処理部から構成され、無線の変復調やベースバンド処理等を行う。また、無線ＬＡＮ送受信部３は、携帯電話機１と家庭内ＬＡＮ２０１とのデータ送受信の制御を行う。
【０１０２】
ＤＭＳプロトコル処理部４は、携帯電話機１がＤＭＳ装置として機能するために必要な各種処理を行う。具体的には、ＤＭＳプロトコル処理部４は、ＤＬＮＡガイドラインに準拠して、ＤＭＰ機能を有する装置とメッセージ交換を行うためのプロトコル処理を行う。
【０１０３】
上述した各ブロックは、制御部１０の通信制御部３０（図１）によって制御されて、自装置の装置情報およびコンテンツをＤＭＰ装置に送信する。
【０１０４】
無線ＬＡＮ接続部６は、家庭内ＬＡＮ２０１への接続、および、家庭内ＬＡＮ２０１との接続を切断する制御を行う。具体的には、無線ＬＡＮ接続部６は、無線ＬＡＮモジュール２に、接続先を指定して接続要求を送信することで指定した無線ＬＡＮネットワーク（家庭内ＬＡＮ２０１）への接続を実行させる。また、無線ＬＡＮモジュール２に接続切断要求を送信することで無線ＬＡＮネットワークへの接続を切断させる。
【０１０５】
表示部７は、制御部１０の指示に従って静止画像や動画像、テキストデータ等を表示する装置である。表示部７としては、例えばＬＣ（liquid Crystal）表示装置やＥＬ（Electro Luminescence）表示装置等を好適に適用することができる。
【０１０６】
入力部８は、携帯電話機１の操作を行うためのものであり、表示部７に表示された項目を選択するための選択キーや選択した項目を決定する決定キー、数字や文字を入力するキー等を含む入力キー群で構成されている。入力部８は、入力キーへの入力を入力信号として制御部１０に送り、これを受けた制御部１０が入力信号に応じた動作を行うようになっている。これにより、携帯電話機１は、ユーザの入力操作に応じた動作を行うことになる。本実施形態では、入力部８に対してユーザが所定の入力を行うことで、携帯電話機１の操作を禁止するロック設定ができる。ロック設定の詳細は後述する。
【０１０７】
携帯電話網接続Ｉ／Ｆ９は、携帯電話機１が携帯電話網に接続して通信を行うためのインターフェイスであり、携帯電話回線用ＲＦ部および信号処理部から構成されている。携帯電話機１は、携帯電話網接続Ｉ／Ｆ９を介して音声通話やパケット通信を行うことができるようになっている。携帯電話網接続Ｉ／Ｆ９の接続先となる携帯電話網は特に限定されず、接続先の携帯電話網に合わせて携帯電話網接続Ｉ／Ｆ９の構成も適宜変更することができる。携帯電話網接続Ｉ／Ｆ９としては、例えばＷ−ＣＤＭＡ（Wideband Code Division Multiple Access）方式やＣＤＭＡ２０００（Code Division Multiple Access）方式で携帯電話網に接続するものを用いることができる。
【０１０８】
カメラ部１３は、撮影を行うための装置であり、図示しないレンズを介して受光素子に取り込んだ光信号に基づいて画像データを生成する。カメラが生成した画像データは、静止画像データまたは動画像データとして、必要に応じて補助記憶部１４に記録される。
【０１０９】
補助記憶部１４は、携帯電話機１が使用する各種データを記録する記録装置である。補助記憶部としては、例えばフラッシュＲＯＭ（Read Only Memory）等のような公知の記録装置を適宜使用することができる。図４に示すとおり、補助記憶部１４には、装置情報記憶領域１１、無線ＬＡＮ接続プロファイル１５、コンテンツ記憶領域１６、および、プログラム記憶領域１７が含まれている。
【０１１０】
装置情報記憶領域１１には、携帯電話機１に関する装置情報が格納されている。少なくとも、携帯電話機１のコンテンツ配信にかかる状態（異常状態）の内容を示す状態情報が格納されている。本実施形態では、具体的には、図３に示すとおり、装置情報には、「名称」、「サービス」、「状態情報」の３つの情報が含まれているが、これに限定されない。
【０１１１】
「名称」は、携帯電話機１をホームネットワークシステム３００内において一意に識別できるように割り当てられた識別情報である。「サービス」は、携帯電話機１が提供するサービスの種類を示す情報であり、例えば、図３に示すとおり、「サービス」が「フォトサーバ」と設定されている場合、携帯電話機１ａが、写真データを公開する機能を持ったＤＭＳ装置であることを意味している。
【０１１２】
「状態情報」は、上述したとおり、携帯電話機１のコンテンツ配信にかかる状態の内容を示す情報である。なお、図３に示す状態情報は、発明の理解のために状態の内容を言葉で表現して示したが、これに限定されない。携帯電話機１に対して測量された物理量、あるいは、閾値に基づく判定レベルなど、数値化された情報が記憶されていてもよい。
【０１１３】
無線ＬＡＮ接続プロファイル１５は、携帯電話機１の無線ＬＡＮ接続先候補となるネットワーク、すなわち接続候補ネットワークを示すデータであり、各接続候補ネットワークに接続する際に使用する各種設定データ（接続設定情報）、すなわち接続プロファイルを含む。つまり、携帯電話機１は、無線ＬＡＮ接続プロファイル１５に示されているネットワークのみを無線ＬＡＮ接続の対象としており、無線ＬＡＮ接続プロファイル１５に含まれる接続プロファイルを用いて接続候補ネットワークに接続するようになっている。本実施形態では、例えば、図２に示すホームネットワークシステム３００を構成する家庭内ＬＡＮ２０１が、接続候補ネットワークとしてプロファイルされている。
【０１１４】
コンテンツ記憶領域１６には、静止画ファイル、動画ファイル、音楽ファイル等のＤＭＳ機能により公開の対象となるデータが格納されている。携帯電話機１のユーザは、例えばカメラ部１３で撮影した画像データをコンテンツ記憶領域１６に格納することにより、該画像データをＤＭＳ機能により公開することができる。
【０１１５】
プログラム記憶領域１７には、携帯電話機１が動作するために必要なプログラムが格納されている。すなわち、携帯電話機１では、制御部１０が、プログラム記憶領域１７に格納されているプログラムを主記憶部１８に読み出して実行することで上記のような機能が実現されるようになっている。
【０１１６】
主記憶部１８は、制御部１０による情報処理が行われる際の作業メモリとして機能する。主記憶部１８としては、例えばＲＡＭ（Random Access Memory）を適用することができる。
【０１１７】
バッテリ部１９は、携帯電話機１内の各種構成に適当な電力を供給するものであり、例えば、リチウムイオン電池などの充電可能な２次電池や電源回路などで構成される。
【０１１８】
（詳細構成）
図１は、携帯電話機１ａ〜１ｄの要部における、異常状態検出機能に関するさらに詳細な構成を示すブロック図である。なお、図１の各構成要素に付された符号は、図２〜４の各構成要素に付された符号に対応しており、同じ符号は、同じ構成要素を示している。したがって、上述の各実施形態ですでに説明した構成要素についての説明は繰り返さない。
【０１１９】
制御部１０は、通信制御部３０、装置情報生成部３１、状態検出部３２、および、ロック設定部３３を備える構成である。
【０１２０】
通信制御部３０は、無線ＬＡＮモジュール２、無線ＬＡＮ送受信部３、ＤＭＳプロトコル処理部４の各部を制御して、ＤＭＰ装置の要求を受信したり、装置情報記憶領域１１に記憶されている装置情報や、コンテンツ記憶領域１６に記憶されているコンテンツを送信したりするものである。通信制御部３０は、上述の各部を制御することにより、携帯電話機１におけるＤＬＮＡに準拠したＤＭＳ機能の実行を制御する。
【０１２１】
装置情報生成部３１は、装置情報記憶領域１１に記憶されている各種情報に基づいて、ＤＭＰ装置１０１ａ〜１０１ｃ（以下、ＤＭＰ装置１０１とする場合は、ＤＭＰ装置１０１ａ〜１０１ｃのすべてを指す。）に送信すべき装置情報を生成するものである。
【０１２２】
装置情報記憶領域１１の装置情報に含まれている「状態情報」には、状態検出部３２の各部が検出・測定した結果が格納されている。装置情報生成部３１は、検出結果を加工し、ＤＭＰ装置１０１に送信すべき状態情報を生成する。
【０１２３】
装置情報生成部３１によって生成された装置情報（状態情報）は、通信制御部３０を介してＤＭＰ装置１０１に送信される。
【０１２４】
状態検出部３２は、携帯電話機１の各部の動作、物理量をモニタリングし、コンテンツ送信に関係する、携帯電話機１の状態を検出するものである。
【０１２５】
ロック設定部３３は、ユーザ操作により入力部８を介して入力される、ロック設定／設定解除の指示信号に応じて、携帯電話機１のロック設定を行ったり、解除したりするものである。
【０１２６】
本実施形態では、ロック設定の指示信号が入力されると、ロック設定部３３は、コンテンツ記憶領域１６に記憶されているコンテンツが外部に配信されないようにロックし、さらに、ロック設定解除のための所定の入力以外は受け付けないように入力部８のキー操作を無効にする。
【０１２７】
これにより、携帯電話機１のユーザ以外の人物による、自装置のコンテンツ閲覧を防止することが可能となるので、コンテンツのセキュリティを維持することができる。
【０１２８】
より具体的には、状態検出部３２は、本実施形態において、無線ＬＡＮ通信電波強度検出部（以下、電波強度検出部）４０、携帯電話網通信プレゼンス検出部（以下、プレゼンス検出部）４１、充電残量検出部４２、ロック設定検出部４３を含んでいる。
【０１２９】
電波強度検出部４０は、無線ＬＡＮモジュール２をモニタし、無線ＬＡＮモジュール２の接続先ネットワークの状態を取得する。具体的には、電波強度検出部４０は、家庭内ＬＡＮ２０１を介して受信する電波信号の強度（ＲＳＳＩ、Received Signal Strength Indicator）や接続、切断といった無線ＬＡＮ通信の状態変化イベントの取得を行う。
【０１３０】
プレゼンス検出部４１は、携帯電話網接続Ｉ／Ｆ９をモニタし、携帯電話網を介して行われる携帯電話機１の通信状態、すなわち、プレゼンスを検出するものである。プレゼンス検出部４１が検出可能な携帯電話機１のプレゼンスは特に限定されないが、例えば、「通話中」、「保留中」、「（携帯電話網における）圏外」などが挙げられる。
【０１３１】
充電残量検出部４２は、バッテリ部１９の電圧値モニタし、バッテリ部１９の充電残量を検出するものである。
【０１３２】
ロック設定検出部４３は、ロック設定部３３をモニタし、携帯電話機１が、ロック設定中であるのか否かを検出するものである。
【０１３３】
上述の各部の検出結果は、装置情報記憶領域１１の装置情報の「状態情報」フィールドに記憶される。
【０１３４】
装置情報生成部３１は、より具体的には、電波強度検出部４０が検出した電波強度を、あらかじめ定められた複数の閾値（図示せず）に基づいて、「レベル４：非常に強い」、「レベル３：強い」、「レベル２：弱い」、「レベル１：圏外」の４レベルに区分し、電波強度に関する状態情報を生成する。なお、ここでの“圏外”とは、電波信号強度が全くゼロの状態、もしくは、ゼロではないが上記レベル２の強度にも達していない非常に微弱な強度の状態を意味し、後者の場合において、「レベル１：圏外」の状態情報をＤＭＰ装置１０１に送信することが可能である。
【０１３５】
また、装置情報生成部３１は、充電残量検出部４２が検出した充電残量を、あらかじめ定められた複数の閾値（図示せず）に基づいて、「レベル３：多」、「レベル２：中」、「レベル１：少」の３レベルに区分し、充電残量に関する状態情報を生成する。
【０１３６】
本実施形態では、装置情報生成部３１は、プレゼンス検出部４１が検出したプレゼンスに基づいて、「１：通話中」、「０：待ち受け（＝通常の状態）」の２値化により、プレゼンスに関する状態情報を生成する。
【０１３７】
また、装置情報生成部３１は、ロック設定検出部４３の検出結果に基づいて、「１：ロック設定中」、「０：ロック解除（＝通常の状態）」の２値化により、ロック設定に関する状態情報を生成する。
【０１３８】
上記状態情報は、テキスト形式の情報に限定されず、例えば、状態情報は、上述の各レベルをアイコン表示するためのアイコン・図形などの形式で実現されてもよい。
【０１３９】
なお、装置情報は、「名称」、「サービス」、「状態情報」の各種情報を別々にして、ＤＭＰ装置１０１に供給してもよいし、装置情報としてまとめて供給してもよい。
【０１４０】
また、「状態情報」は、１つの携帯電話機１について、複数種類の内容が含まれていてもよい。例えば、携帯電話機１の状態が、電波強度が「レベル２：弱い」で、充電残量が「レベル１：少」である場合に、携帯電話機１は、自装置の状態情報である「電波強度：弱い」と「充電残量：少」の２種類をＤＭＰ装置１０１に供給することができる。
【０１４１】
また、装置情報（状態情報）送信処理のタイミングは特に限定されない。例えば、あらかじめ定められた時刻に実行されるものであってもよいし、所定の時間間隔で実行されるものであってもよいし、ＤＭＰ装置１０１からの要求に応じて実行されるものであってもよいし、携帯電話機１の状態に変化が生じたときに実行されるものであってもよい。
【０１４２】
さらに、装置情報生成部３１は、状態検出部３２の検出結果を閾値と比較するなどして、携帯電話機１の異常状態の重度を判定し、異常状態の警告の要／不要を判定してもよい。これにより、コンテンツ送信を実行するにあたって問題がある（もしくは問題が起きる可能性が高い）場合にかぎって、ＤＭＰ装置１０１に携帯電話機１の状態情報の通知を行うことが可能となり、無駄な送受信処理を抑えることができる。
【０１４３】
なお、上記機能ブロックとして示される各部は、ＣＰＵ（central processing unit）が不図示のＲＯＭ（read only memory）等の記憶装置に記憶されているプログラムをＲＡＭ（random access memory）等に読み出して実行することで実現できる。すなわち、上記制御部１０の各部材（通信制御部３０、状態検出部３２など）は、上記ＣＰＵが上記記憶装置に格納されたプログラムを実行し、図示しない入出力回路などの周辺回路を制御することによって実現される機能ブロックである。
【０１４４】
〔ＤＭＰ装置の構成〕
図５は、ＤＭＰ装置１０１の要部構成を示すブロック図である。
【０１４５】
図５に示すとおり、ＤＭＰ装置１０１は、少なくとも、制御部２０、ＤＭＰプロトコル処理部２１、入力部２２、表示部２３、および、補助記憶部２４を備えている。
【０１４６】
ＤＭＰプロトコル処理部２１は、ＤＬＮＡガイドラインに準拠してＤＭＳ機能を有する装置とメッセージ交換を行うためのプロトコル処理を行うものである。
【０１４７】
入力部２２は、ユーザがＤＭＰ装置１０１の各種機能の実行を指示するための指示入力装置である。入力部２２は、ＤＭＰ装置１０１の機器の種類に応じて、さまざまな入力装置で実現される。例えば、ＤＭＰ装置１０１がテレビやＨＤレコーダなどの家電機器であれば、入力部２２はリモートコントローラとして実現される。あるいは、ＤＭＰ装置１０１がパソコンであれば、入力部２２はキーボードやマウスなどで実現される。ＤＭＰ装置１０１が携帯電話機１と同様、携帯通信端末装置であれば、入力部８と同様に選択キー、決定キー、数字キーなどの入力キー群で構成される。
【０１４８】
ユーザは、入力部２２を用いて、ＤＭＰ装置１０１に記憶されているコンテンツの再生を指示したり、携帯電話機１に対してコンテンツや装置情報を要求する処理の実行を指示したりすることができる。
【０１４９】
表示部２３は、制御部２０の指示に従って、静止画像や動画像、テキストデータ等を表示する装置である。具体的には、再生コンテンツを表示したり、家庭内ＬＡＮ２０１に接続するＤＭＳ装置の情報を表示したりすることができる。
【０１５０】
補助記憶部２４は、ＤＭＰ装置１０１が使用する各種データを記録する記録装置である。補助記憶部としては、例えばフラッシュＲＯＭ（Read Only Memory）等のような公知の記録装置を適宜使用することができる。図５に示すとおり、補助記憶部２４には、少なくとも、コンテンツ記憶領域２５、装置情報記憶領域２６、および、プログラム記憶領域（図示せず）が含まれている。
【０１５１】
コンテンツ記憶領域２５には、家庭内ＬＡＮ２０１に接続された携帯電話機１、ＨＤレコーダ１０３、パソコン１０４などのＤＭＳ装置から取得した、音楽ファイル、画像ファイル、動画ファイルなどのデジタルコンテンツが格納されている。
【０１５２】
装置情報記憶領域２６には、家庭内ＬＡＮ２０１に接続された上述の各ＤＭＳ装置の装置情報がそれぞれ格納されている。
【０１５３】
図６は、装置情報記憶領域２６に格納される装置情報を一例を示す図である。図６に示すとおり、家庭内ＬＡＮ２０１のＤＭＳ装置ごとに、装置情報、すなわち、「名称」、「サービス」、「状態情報」の３つの情報が関連付けて記憶されている。各情報の意味については既述したとおりである。
【０１５４】
本実施形態では、「状態情報」は、携帯通信端末装置（携帯電話機１）からのみ取得されるものとするが、状態検出部３２を備えていさえすれば、有線ＬＡＮにて接続する各種機器（ＨＤレコーダ１０３やパソコン１０４など）が送信する状態情報が取得されてもよい。また、本実施形態では、装置情報記憶領域２６の「状態情報」のフィールドには、携帯電話機１の装置情報生成部３１が検出結果に基づいて生成した状態情報が格納される。
【０１５５】
これにより、家庭内ＬＡＮ２０１に接続される各ＤＭＳ装置の情報をＤＭＰ装置１０１において管理することが可能となる。
【０１５６】
なお、図６に示す例では、「状態情報」は１種類のみしか格納されていないが、これに限定されない。例えば、携帯電話機１ａについて、「充電残量：少」および「通話中」の２つの状態情報が供給された場合は、携帯電話機１ａに関連付けて、２つの状態情報を装置情報記憶領域２６に記憶しておくことができる。
【０１５７】
なお、上記プログラム記憶領域には、ＤＭＰ装置１０１が動作するために必要なプログラムが格納されている。すなわち、ＤＭＰ装置１０１では、制御部２０が、プログラム記憶領域に格納されているプログラムを主記憶部（図示せず）に読み出して実行することで上記のような機能が実現されるようになっている。
【０１５８】
なお、ここでは図示しないが、ＤＭＰ装置１０１の家庭内ＬＡＮ２０１への接続状況に応じて、適宜、無線（有線）ＬＡＮモジュール、送受信部などの通信手段が設けられ、通信制御部５０の制御の下に動作して、ＤＬＮＡガイドラインに準拠してＤＭＳ機能を有する装置とメッセージ交換を行うことができるようになっている。
【０１５９】
制御部２０は、ＤＭＰ装置１０１の各部を統括制御するものである。制御部２０は、少なくとも、通信制御部５０、要求処理部５１、コンテンツ再生部５２、および、情報表示制御部５３を備える構成である。
【０１６０】
通信制御部５０は、上記通信手段の各部を制御して、ＤＭＳ装置に対して、コンテンツおよび装置情報の要求メッセージを送信したり、ＤＭＳ装置からコンテンツおよび装置情報を受信したりするものである。通信制御部５０は、通信手段を制御することにより、ＤＭＰ装置１０１におけるＤＬＮＡに準拠したＤＭＰ機能の実行を制御する。
【０１６１】
要求処理部５１は、ユーザによって指定されたコンテンツを、当該コンテンツを有するＤＭＳ装置に対して要求するコンテンツ要求メッセージを生成するものである。また、家庭内ＬＡＮ２０１に接続されているＤＭＳ装置の装置情報を要求する装置情報要求メッセージを生成するものである。
【０１６２】
なお、装置情報要求処理は、入力部２２を介してのユーザの指示に応じて実行されてもよいし、所定時刻または一定時間間隔にて自動で実行されてもよい。あるいは、装置情報は、要求処理部５１がなくとも、ＤＭＳ装置から定期的に配信されるものであっても構わない。
【０１６３】
また、どのＤＭＳ装置に対して要求メッセージを送信するのかについては、ユーザが都度または予め指定してもよいし、あるいは、家庭内ＬＡＮ２０１に接続するすべてのＤＭＳ装置に対して要求するようにしてもよい。
【０１６４】
コンテンツ再生部５２は、コンテンツ記憶領域２５に記憶されているコンテンツを再生出力するものである。例えば、コンテンツが、画像ファイルの場合は、コンテンツ再生部５２は、読み出した画像ファイルを表示部２３に出力する。コンテンツが音楽ファイルの場合は、読み出した音楽ファイルを図示しないスピーカ部に出力する。
【０１６５】
情報表示制御部５３は、装置情報記憶領域２６に記憶されている装置ごとの装置情報を読み出して、表示部２３に出力するものである。具体的には、情報表示制御部５３は、読み出した装置情報に基づいて、各装置情報の表示用レイアウトを決定し、装置情報の表示用データを表示部２３に出力する。表示部２３における装置情報の表示画面例については後述する。
【０１６６】
〔ホームネットワークシステムの処理フロー〕
図７は、図２に示すホームネットワークシステム３００における、携帯電話機１およびＤＭＰ装置１０１の各処理の流れを示すシーケンス図である。同図に示すシーケンスはＤＬＮＡガイドライン準拠である。
【０１６７】
ＤＭＰ装置１０１は、まず起動後に周辺のＤＭＳ装置を探すための機器発見処理を行い、家庭内ＬＡＮ２０１に接続しているＤＭＳ装置（ここでは、携帯電話機１）は、上記問合せに対して応答を送信する（ステップＳ１１１、Ｓ１１２）。次に発見された携帯電話機１に対して、携帯電話機１の装置情報（ここでは、「名称」および「サービス」情報の要求処理を行い、携帯電話機１は、ＤＭＰ装置１０１からの情報要求に応答して要求された情報（「名称」と「サービス」）を送信する（ステップＳ１２１、Ｓ１２２、Ｓ１２３、Ｓ１２４）。
【０１６８】
次にＤＭＰ装置１０１は、携帯電話機１に対して、コンテンツリストの要求処理を行う。これに応答して、携帯電話機１は、コンテンツリストを要求元のＤＭＰ装置１０１に送信する（ステップＳ１３１、Ｓ１３２、Ｓ１３３、Ｓ１３４）。
【０１６９】
以上のとおり、ＤＭＰ装置１０１は、携帯電話機１よりコンテンツリストを取得する。これにより、ＤＭＰ装置１０１のユーザは、携帯電話機１から取得可能なコンテンツを把握し、所望のコンテンツを選択することが可能となる。ユーザにより、コンテンツが指定されると、ＤＭＰ装置１０１は、携帯電話機１に対して、選択されたコンテンツの伝送を要求する。携帯電話機１は、上記要求に応答して、ＤＭＰ装置１０１によって選択されたコンテンツを自装置のコンテンツ記憶領域１６から読み出し、要求元のＤＭＰ装置１０１に送信する（ステップＳ１４１、Ｓ１４２）。
【０１７０】
本実施形態では、ＤＭＰ装置１０１は、定期的に各ＤＭＳ装置（携帯電話機１）状態情報要求を行う。携帯電話機１は、上記要求に応答して、状態情報送信処理を実行し、自装置の状態情報を、要求元のＤＭＰ装置１０１に送信する（ステップＳ１５１、Ｓ１５２）。
【０１７１】
なお、ステップＳ１５１、Ｓ１５２は、ＤＭＳ提供サービス内容変更などの状態変化への対応のためにＤＬＮＡガイドラインで規定されているＥｖｅｎｔｉｎｇ（状態変化要求／応答シーケンス）を適用する。これにより、本発明における技術を実現する為に新たにＤＭＳとＤＭＰ間の通信処理シーケンスを追加する必要がなくなり、結果としてＤＭＳ及びＤＭＰの処理負荷の軽減、さらにＤＭＳ及びＤＭＰ各装置間の通信データ量削減を実現することが可能となる。
【０１７２】
ＤＭＰ装置１０１は、携帯電話機１の状態情報を取得して、取得した状態情報を各装置に関連付けて表示する。これにより、ＤＭＰ装置１０１のユーザは、どのＤＭＳ装置が、どのような状態にあるのかを把握することが可能となる。
【０１７３】
〔状態情報送信処理フロー〕
図８は、図７に示す、携帯電話機１の状態情報送信処理の流れを示すフローチャートである。
【０１７４】
携帯電話機１は、図７のＳ１５１にてＤＭＰ装置１０１から状態情報要求を受信すると（Ｓ２０１のＹＥＳ）、状態検出部３２は、その時点での携帯電話機１の状態を検出する。より具体的には、例えば、電波強度検出部４０は、無線ＬＡＮの電波強度を検出し、プレゼンス検出部４１は、携帯電話機１が通話中か否かを検出し、充電残量検出部４２は、バッテリ部１９の充電残量を検出し、ロック設定検出部４３は、ロック設定中であるか否かを検出する（Ｓ２０２）。状態検出部３２の結果は、装置情報記憶領域１１に記憶される（Ｓ２０３）。
【０１７５】
続いて、装置情報生成部３１は、装置情報記憶領域１１に記憶された検出結果に基づいて、自装置の状態を示す状態情報を生成し、要求元のＤＭＰ装置１０１に送信する（Ｓ２０４）。
【０１７６】
なお、携帯電話機１が状態情報をＤＭＰ装置１０１に送信するトリガは、ＤＭＰ装置１０１からの要求を受信したときであってもよいし、あるいは、所定のイベントが発生したときであってもよい。具体的には、電波強度や充電残量が、装置情報生成部３１が判定するレベルが変化するほどに大きく状態変化したときや、所定の時刻になったときに状態情報をＤＭＰ装置１０１に送信するようにしてもよい。
【０１７７】
上述のとおり、携帯電話機１から装置情報（「名称」、「サービス」、および、「状態情報」）を受信したＤＭＰ装置１０１は、家庭内ＬＡＮ２０１に接続する携帯電話機１の装置情報を表示部２３に表示することができる。状態情報は、当該携帯電話機１のコンテンツ配信にかかわる状態の内容を示している。
【０１７８】
これにより、ＤＭＰ装置１０１のユーザは、家庭内ＬＡＮ２０１に接続されているＤＭＳ装置と、各装置がどのようなサービスを提供しているのかを把握するとともに、各装置がどういう状態にあるのかを知ることができる。各装置の状態とは、特に、コンテンツ配信に関する状態情報であるので、ユーザは、状態情報を確認して、その装置から快適な環境でコンテンツをダウンロードすることができるのかどうか予測することができる。
【０１７９】
よって、コンテンツのダウンロードが難しい（問題が起きそうな）ＤＭＳ装置に対しては、コンテンツの要求を行わないようにすることができ、結果として、コンテンツ配信システムの利便性が向上する。
【０１８０】
次に、ＤＭＰ装置１０１の表示部２３における装置情報の表示例について以下に説明する。
【０１８１】
〔状態情報表示例〕
図９は、ホームネットワークシステム３００において、家庭内ＬＡＮ２０１に接続される各ＤＭＳ装置の装置情報を、ＤＭＰ装置１０１の表示部２３に表示したときの表示画面の例を示す図である。
【０１８２】
図９に示す例では、表示部２３の画面に、最大６台分のＤＭＳ装置の装置情報２３０（ａ〜ｆ）を表示できるレイアウトになっている。図９に示す６台分の装置情報は、図６に示す各装置情報に基づいて、情報表示制御部５３が表示用データを生成し、表示部２３に出力したものである。
【０１８３】
装置情報２３０ａは、携帯電話機１ａが、静止画コンテンツサーバ機能を有し、充電残量が少ない状態であることを示し、装置情報２３０ｂは、携帯電話機１ｂが、動画コンテンツサーバ機能を有し、携帯電話回線による通話中の状態であることを示し、装置情報２３０ｃは、携帯電話機１ｃが、動画コンテンツサーバ機能を有し、ロック設定中の状態であることを示し、装置情報２３０ｄは、携帯電話機１ｄが、音楽コンテンツサーバ機能を有し、無線ＬＡＮ電波強度が弱い状態であることを示している。装置情報２３０ｅは、ＨＤレコーダ１０３の装置情報、装置情報２３０ｆは、パソコン１０４の装置情報を示している。
【０１８４】
装置情報２３０には、まず、各装置のアイコン２３１（このアイコン画像は、装置の識別情報に関連付けてＤＭＰ装置１０１にあらかじめ記憶されていてもよい。）が表示されている。そして、装置情報のうち、「名称」情報は「サーバ名」の項目２３２、そして、「サービス」情報は「サービス」の項目２３３にテキスト形式で表示されている。
【０１８５】
最後に、「状態情報」は、「注意」の項目２３４に表示されている。
【０１８６】
図９に示す例では、情報表示制御部５３は、携帯電話機１ａ〜１ｄのコンテンツ配信にかかる異常状態を警告するために「注意」の項目に表示されるようにレイアウトを決定している。
【０１８７】
なお、正常なときの状態情報も携帯電話機１ａ〜１ｄから通知される場合には、以下の構成が考えられる。すなわち、情報表示制御部５３は、充電残量や電波強度について、あらかじめ定められた閾値に基づき、一定のレベルに達していない場合のみ、「注意」の項目に表示されるようにレイアウトを決定してもよい。また、異常状態が複数種類あっても、その複数の情報を「注意」の項目に表示することが可能である。
【０１８８】
ＤＭＰ装置１０１のユーザは、所有するＤＭＰ装置１０１の表示部２３にて、各ＤＭＳ装置の状態情報（「注意」の項目２３４）を参照することにより、携帯電話機１ａ〜１ｄの状態を把握することが可能となる。
【０１８９】
あるいは、携帯電話機１の装置情報生成部３１が、状態検出部３２の検出結果をそのまま装置情報として送信する場合は、情報表示制御部５３が、あらかじめ定められた閾値に基づいて、検出結果を、複数のレベルに区分して、状態情報をレベル別に表示するようにしてもよい。
【０１９０】
以上述べたように、本実施形態におけるホームネットワークシステム３００では、ＤＬＮＡにおけるＤＭＰ装置１０１は、携帯通信端末装置である携帯電話機１ａ〜１ｄの各種状態を取得して表示できるため、携帯電話機１ａ〜１ｄが、コンテンツ配信に問題が生じる可能性のある状態であった場合、ＤＭＰ装置１０１は、当該状態の内容を示す状態情報をユーザに提示し、ユーザへの注意を促すことができるため、コンテンツ配信障害を未然に防ぐことが可能となり、ＤＭＰ装置１０１のユーザに対する利便性が向上する。
【０１９１】
なお、本実施形態では、携帯電話機をＤＭＳ装置として用いた例について説明したが、携帯電話機の代わりにＰＤＡ・ノートパソコン等の種々の携帯通信端末装置を適用してもよい。
【０１９２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１９３】
最後に、携帯電話機１ａ〜１ｄ、ＤＭＰ装置１０１の各ブロック、特に、装置情報生成部３１、状態検出部３２、要求処理部５１、および、情報表示制御部５３等は、ハードウェアロジックによって構成してもよいし、次のようにＣＰＵを用いてソフトウェアによって実現してもよい。
【０１９４】
すなわち、携帯電話機１（ＤＭＰ装置１０１）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１（ＤＭＰ装置１０１）の制御プログラムのプログラムコード（実行形式プログラム、中間コードプログラム、ソースプログラム）をコンピュータで読み取り可能に記録した記録媒体を、上記携帯電話機１（ＤＭＰ装置１０１）に供給し、そのコンピュータ（またはＣＰＵやＭＰＵ）が記録媒体に記録されているプログラムコードを読み出し実行することによっても、達成可能である。
【０１９５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９６】
また、携帯電話機１（ＤＭＰ装置１０１）を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１９７】
本発明の携帯通信端末装置は、ローカルネットワークにおいて、該ローカルネットワークに接続可能なコンテンツ再生装置にコンテンツを提供するコンテンツ配信装置として好適に用いることができる。
【図面の簡単な説明】
【０１９８】
【図１】本実施形態のＤＭＳ機能を有する携帯電話機の要部における、異常状態検出機能に関するさらに詳細な構成を示すブロック図である。
【図２】本実施形態におけるホームネットワークシステムの概要を説明する図である。
【図３】上記ホームネットワークシステムの一部を構成する、ＤＭＰ機能を有するＤＭＰ装置およびＤＭＳ機能を有する携帯電話機の概略構成を示すブロック図である。
【図４】本発明の実施形態におけるＤＭＳ機能を有する携帯電話機の要部構成を示すブロック図である。
【図５】本発明の実施形態におけるＤＭＰ機能を有するＤＭＰ装置の要部構成を示すブロック図である。
【図６】ＤＭＰ装置の装置情報記憶領域に格納される装置情報を一例を示す図である。
【図７】上記ホームネットワークシステムにおける、ＤＭＳ機能を有する携帯電話機およびＤＭＰ機能を有するＤＭＰ装置の各処理の流れを示すシーケンス図である。
【図８】ＤＭＳ機能を有する携帯電話機の状態情報送信処理の流れを示すフローチャートである。
【図９】ＤＭＰ装置の表示部に装置情報を表示したときの表示画面の例を示す図である。
【符号の説明】
【０１９９】
１ａ  携帯電話機（携帯通信端末装置）
１ｂ  携帯電話機（携帯通信端末装置）
１ｃ  携帯電話機（携帯通信端末装置）
１ｄ  携帯電話機（携帯通信端末装置）
２  無線ＬＡＮモジュール（通信部）
３  無線ＬＡＮ送受信部（通信部）
４  ＤＭＳプロトコル処理部（通信部）
６  無線ＬＡＮ接続部
７  表示部
８  入力部
９  携帯電話網接続インターフェース（音声通信部）
１０  制御部
１１  装置情報記憶領域
１３  カメラ部
１４  補助記憶部
１５  無線ＬＡＮ接続プロファイル
１６  コンテンツ記憶領域
１７  プログラム記憶領域
１８  主記憶部
１９  バッテリ部
２０  制御部
２１  ＤＭＰプロトコル処理部
２２  入力部
２３  表示部
２４  補助記憶部
２５  コンテンツ記憶領域
２６  装置情報記憶領域
３０  通信制御部（送信制御手段）
３１  装置情報生成部（送信制御手段）
３２  状態検出部（状態検出手段）
３３  ロック設定部（ロック設定手段）
４０  無線ＬＡＮ通信電波強度検出部（状態検出手段）
４１  携帯電話網通信プレゼンス検出部（状態検出手段）
４２  充電残量検出部（状態検出手段）
４３  ロック設定検出部（状態検出手段）
５０  通信制御部（状態情報取得手段）
５１  要求処理部
５２  コンテンツ再生部
５３  情報表示制御部（情報表示制御手段）
１０１ａ  ＤＭＰ装置（コンテンツ再生装置）
１０１ｂ  ＤＭＰ装置（コンテンツ再生装置）
１０１ｃ  ＤＭＰ装置（コンテンツ再生装置）
１０２  ホームサーバ
１０３  ハードディスクレコーダ
１０４  パソコン
２０１  家庭内ＬＡＮ（ローカルネットワーク）
２０２  アクセスポイント
２３０  装置情報
３００  ホームネットワークシステム（コンテンツ配信システム）
【図１】
2009122911.tif 000003
【図２】
2009122911.tif 000004
【図３】
2009122911.tif 000005
【図４】
2009122911.tif 000006
【図５】
2009122911.tif 000007
【図６】
2009122911.tif 000008
【図７】
2009122911.tif 000009
【図８】
2009122911.tif 000010
【図９】
2009122911.tif 000011